(57)【要約】【課題】一般大衆になじみがあり、カバー領域が限定されず、知識の同定、整理、検索、網羅が容易であり、知識を差し出した者が報われ、日常的にかつ効率的に一般大衆に新鮮な知識が流通される方法を提供すること。【達成手段】知識や情報（以下、単に知識と呼ぶ）を募集する方法であって、募集する知識が、一つもしくは複数の、すなわち連続的もしくは離散的な、穴を埋める穴埋め形式で、応募対象者に表示されること、を最も主要な特徴とする。【特許請求の範囲】
【請求項１】
知識や情報（以下、単に知識と呼ぶ）を募集する方法であって、
募集する知識が、一つもしくは複数の、すなわち連続的もしくは離散的な、穴を埋める穴埋め形式で、応募対象者に表示されることを特徴とする方法。
【請求項２】
すでに集まった一つ又は複数の知識、すなわち穴埋め要素もしくは該組、又はそれらの集合が、穴埋め要素もしくはその組あるいは穴埋め結果、又はそれらの集合として表示されることを特徴とする、請求項１に記載の方法。
【請求項３】
前記、穴埋め要素の文字セット、文字数、情報量、レンダー幅、レンダー高さ、レンダー時間、音量や輝度などのレンダー強度、周波数範囲、ピクセル深度（色数）、情報形式、ジャンル、意味的カテゴリ、自然言語的カテゴリ、形式言語的カテゴリ、用語、候補集合又はこれらの組み合わせが、穴全体として又は穴毎に制限されていることを特徴とする、請求項１または２に記載の方法。
【請求項４】
前記すでに集まった一つ又は複数の知識の表示の際に、広告が表示されることを特徴とする、請求項１から３のいずれか一項に記載の方法。
【請求項５】
知識ごとに異なる広告が関連づけられて表示される、請求項４に記載の方法。
【請求項６】
前記、広告の文字セット、文字数、情報量、レンダー幅、レンダー高さ、レンダー時間、音量や輝度などのレンダー強度、周波数範囲、ピクセル深度（色数）、情報形式、ジャンル、意味的カテゴリ、自然言語的カテゴリ、形式言語的カテゴリ、用語、候補集合又はこれらの組み合わせが、制限されていることを特徴とする、請求項４または５に記載の方法。
【請求項７】
前記穴埋め形式、穴埋め要素、広告もしくはこれらの組み合わせが、自然言語である、請求項１から６のいずれか一項に記載の方法。
【請求項８】
応募された各知識と各応募者とを関連づけて記憶するステップと、
一つまたは複数の知識の表示の際に表示した一つ又は複数の広告による収入を、該一つ又は複数の各知識に関連づけて記憶された各応募者に分配するステップと
をさらにを含む、請求項４から７のいずれか一項に記載の方法。
【請求項９】
応募された各知識と各応募者とを関連づけて記憶するステップと、
一つまたは複数の知識の表示の際に表示した一つ又は複数の広告による収入を、該広告と関連付けて記憶された各知識に関連づけて記憶された各応募者に分配するステップと
をさらにを含む、請求項５に記載の方法。
【請求項１０】
新しく応募された新しい知識に対してより多くの分配を行うことを特徴とする請求項８または９に記載の方法。
【請求項１１】
新しく応募された新しい知識が以前に応募された知識より前に表示されるようにする、請求項２から１０のいずれか一項に記載の方法。
【請求項１２】
期間的、順序的、頻度的もしくはこれらの組み合わせに古くに応募された知識が表示されないようにすることを特徴とする、請求項２から１１のいずれか一項に記載の方法。
【請求項１３】
頻度が多く応募された知識が頻度が少なく応募された知識よりも前に表示されるようにする、請求項２から１２のいずれか一項に記載の方法。
【請求項１４】
複数応募された同一の知識を一つにまとめて表示することを特徴とする、請求項２から１３のいずれか一項に記載の方法。
【請求項１５】
各知識が全期間にわたってもしくは特定の期間にわたって応募された頻度をさらに表示することを特徴とする、請求項１３に記載の方法。
【請求項１６】
複数応募された同一の知識のうち、全期間にわたってもしくは特定の期間にわたって応募された最初もしは最初のいくつかの知識および応募者のみを記憶もしくは表示することを特徴とする、請求項２から１５のいずれか一項に記載の方法。
【請求項１７】
同一の知識に関連して分配される収入が、該知識に応募した複数の応募者で配分されることを特徴とする、請求項１から１６のいずれか一項に記載の方法。
【請求項１８】
全期間にわたってもしくは特定に期間にわたって早く応募した応募者により多くの配分がなされる請求項１７に記載の方法。
【請求項１９】
前記知識の表示の際に表示される広告を、知識と共に応募できることを特徴とする、請求項４から６のいずれか一項に記載の方法。
【請求項２０】
応募された知識および広告またはその一方を表示用に登録する際に応募者に登録料を請求するステップを含む、請求項１から１９のいずれか一項に記載の方法。
【請求項２１】
請求した登録料が、同一の穴埋め形式で表示される知識もしくは同一の知識の応募者に分配されることを特徴とする、請求項２０に記載の方法。
【請求項２２】
完結した（穴埋め要素でない）知識として応募を受け付けるステップと、
応募された完結した知識を複数の穴埋め形式と照合して、一つ又は複数の合致した穴埋め形式に対応する知識として一つ又は複数の合致した穴埋め形式と関連づけて登録するステップとを、
さらに含む請求項１から２１のいずれか一項に記載の方法。
【請求項２３】
完結した知識を、知識構成要素の順序の入れ替え可能性を多重の括弧等により指定した文として受け付け、入れ替えたすべての順序について前記照合を行う、請求項２２に記載の方法。
【請求項２４】
穴埋め形式自体が順序入れ替え可能性を多重の括弧などにより指定した文となっており、該穴埋め形式文の入れ替えたすべての順序について、受け付けた知識もしくは該知識の構成要素の順序を入れ替えた知識と照合を行う、請求項２２もしくは２３に記載の方法。
【請求項２５】
インターネットもしくは所定のデータベースを自動的に検索して、穴埋め形式を埋められる穴埋め要素（の組）を自動登録もしくは自動更新するステップをさらに含む、請求項１から２４のいずれか一項に記載の方法。
【請求項２６】
穴埋め要素、穴埋め結果もしくは穴埋め結果を存在する順序入れ替え指定により展開した各穴埋め結果、すなわち知識の一部、全部もしくは各変形が、自動的にインターネットもしくは所定のデータベース上を検索して存在しないもしくは頻度の少ない情報の並びである場合に、該方法に関連する収入を当該知識の応募者により多く配分するようにする、もしくは、当該知識をより前に表示するようにすることを特徴とする、請求項１から２５に記載の方法。
【請求項２７】
穴埋め要素、穴埋め結果もしくは穴埋め結果を存在する順序入れ替え指定により展開した各穴埋め結果、すなわち知識の一部、全部もしくは各変形が、自動的にインターネットもしくは所定のデータベース上を検索して、存在するもしくは頻度の多い情報の並びである場合に、該方法に関連する収入を当該知識の応募者により多く配分するようにする、もしくは、当該知識をより前に表示するようにすることを特徴とする、請求項１から２５に記載の方法。
【請求項２８】
穴埋め要素、穴埋め結果もしくは穴埋め結果を存在する順序入れ替え指定により展開した各穴埋め結果、すなわち知識の一部、全部もしくは各変形が、同一の穴埋め形式に関連して登録された他の知識の対応する各穴埋め要素もしくは全部もしくは当該変形に対して、又は、インターネットもしくは所定のデータベース上に存在する知識もしくは当該知識の可能な変形に対して、編集距離が遠いほどまたは全体的もしくは部分的な意味が定義された距離について遠いほど、該応募された知識の応募者に該方法に関連する収入を多く配分するようにする、もしくは、当該知識をより前に表示するようにすることを特徴とする、請求項１から２７のいずれか一項に記載の方法。
【請求項２９】
穴埋め要素、穴埋め結果もしくは穴埋め結果を存在する順序入れ替え指定により展開した各穴埋め結果、すなわち知識の一部、全部もしくは各変形が、同一の穴埋め形式に関連して登録された他の知識の対応する各穴埋め要素もしくは全部もしくは当該変形に対して、編集距離が近いほどまたは全体的もしくは部分的な意味が定義された距離について近いほど、該他の知識と近い空間的もしくは時間的位置に表示する、又は、該他の知識の応募者に前記知識の一部、全部もしくは各変形に関連する収入を配分する、又は、該後に応募された知識を登録しないもしくは表示しないことを特徴とする、請求項１から２８のいずれか一項に記載の方法。
【請求項３０】
前記編集距離を、埋め込み要素の文字列、音声、画像、動画などを非可逆圧縮した上で求める、請求項２８または２９に記載の方法。
【請求項３１】
知識の応募手順が対話的になっており、複数の穴すなわち離散的な穴がある穴埋め形式を埋める場合に、すでに埋めた穴埋め要素に対応するすでに登録された知識もしくは他の各穴の各穴埋め要素が、応募者に表示されることを特徴とする、請求項１から３０のいずれか一項に記載の方法。
【請求項３２】
共通部分を含む全体知識が複数もしくは多く登録された場合に、該共通部分を新たな穴埋め形式として記憶し、当該記憶に基づき自動的に募集を行う、請求項１から３１のいずれか一項に記載の方法。
【請求項３３】
同一の知識を登録しうる複数の穴埋め形式が、一方向もしくは両方向に関連づけられて記憶されている、請求項１から３２のいずれか一項に記載の方法。
【請求項３４】
応募者による知識の確信度、有効期限、取材元、又はこれらの組み合わせが知識とともに応募でき、これらの情報に基づいて、知識の表示、登録、削除、選択、又はこれらの組み合わせが行われる、請求項１から３３のいずれか一項に記載の方法。
【請求項３５】
前記穴埋め形式、知識、応募者、登録時刻、登録順序、確信度、有効期限、取材元、または、インターネットもしくは該穴埋め形式内あるいは関連づけられた穴埋め形式集合内での同一もしくは類似知識の出現頻度、または、これらの組合せに基づいて、表示位置、表示頻度、表示周期内オフセットや表示周期内時間割などの表示順序、表示形式、または、これらの組み合わせが決定される、請求項１から３４のいずれか一項に記載の方法。
【請求項３６】
利用者が、表示する知識の登録された穴埋め形式、該穴埋め形式を特定するためのＵＲＬなどのアドレス、各穴埋め形式内知識の表示位置、表示頻度、表示周期内オフセットや表示周期内時間割などの表示順序、表示形式、または、これらの組み合わせを設定できることを特徴とする、請求項１から３５のいずれか一項に記載の方法。
【請求項３７】
利用者への知識もしくは広告の表示に応じて、知識もしくは広告と関連づけられた知識の応募者、広告が表示された知識表示内の知識を応募した応募者、広告に関連する穴埋め形式の管理者、または、これらの組み合わせに閲覧料もしくは広告料が支払われる請求項１から３６のいずれか一項に記載の方法。
【請求項３８】
穴埋め形式に登録された知識もしくは知識集合の閲覧料を処理するステップをさらに含み、該閲覧料収入について、前記広告収入または登録料収入に対する方法が適用される、請求項１から３７のいずれか一項に記載の方法。
【請求項３９】
知識の共通部分を省いた穴埋め要素もしくはその組を表示することを特徴とする、請求項２から３９のいずれか一項に記載の方法。
【請求項４０】
知識が、問題および解答の組により表示され、かつ、問題と解答の空間的もしくは時間的な間に広告が表示されることを特徴とする、請求項２から３９のいずれか一項に記載の方法。
【請求項４１】
知識、もしくは、知識および広告の表示が、スクリーンセーバーとして行われる、請求項１から４０のいずれか一項に記載の方法。
【請求項４２】
請求項２から請求項４１に記載の方法により表示を行うスクリーンセーバー。
【請求項４３】
請求項１から請求項４１の記載の方法もしくはその部分ステップを実施するサーバ。
【請求項４４】
請求項１から請求項４１に記載の方法もしくはその部分ステップにおける登録を管理する記憶装置。
【請求項４５】
計算機もしくはその一部を、請求項４２に記載のスクリーンセーバー、請求項４３に記載のサーバ、請求項４４に記載の記憶装置、又はこれらの一部もしくは組合せとして動作させる、コンピュータプログラム。
【発明の詳細な説明】
【０００１】
【発明の属する技術分野】
本発明は、知識や広告を募集する方法、表示する方法、有償で流通する方法、スクリーンセーバーを始めとする関連する装置およびコンピュータプログラムに関する。
【０００２】
【従来の技術】
従来、知識は、少数の専門家による編集、もしくは、大衆による２チャンネル掲示板などへの参加という形で集められた。こうして集められた知識の多くは形式言語や自然言語で記載された。
【０００３】
形式言語については、一般大衆になじみのないものとなり、かつ、名前空間等の問題によりカバー領域が限定されるという問題があった。
【０００４】
また、自然言語については、どこにどの知識が記載されているかをすばやく同定することが困難であるため、検索や整理が容易でなく、冗長となったり、矛盾したり、通説や大前提の把握が掛けたり、話があちこちに飛んだりするという問題があった。
【０００５】
また、そもそも知識を差し出した一般大衆に報いる仕組みがなく、知識を広く実効的に募集する仕組みは確立されていなかった。また、差し出された新鮮な知識を、少数の取材者の介在なしに、特に一般大衆に提供する仕組みが確立されておらず、一般大衆にはそういう新鮮な知識に日常的にかつ効率的に接する術をもたなかった。
【０００６】
【発明が解決しようとする課題】
本発明は、かかる問題を解決し、一般大衆になじみがあり、カバー領域が限定されず、知識の同定、整理、検索、網羅が容易であり、知識を差し出した者が報われ、日常的にかつ効率的に一般大衆に新鮮な知識が流通される方法を提供することを目的とする。
【０００７】
【課題を解決するための手段】
本発明は、かかる目的を達成するためのものであり、知識や情報（以下、単に知識と呼ぶ）を募集する方法であって、募集する知識が、一つもしくは複数の、すなわち連続的もしくは離散的な、穴を埋める穴埋め形式で、応募対象者に表示されること、を最も主要な特徴とする。
【０００８】
これにより、そこで募集されている知識の内容および形式を応募者に明確に知らせることができる。また、形式言語とは限らず、穴埋め形式であるため、一般大衆にもなじみがあり、カバー領域が限定されないばかりか、穴を埋める要素の大きさも限定されないため、小説のような非定型の長い知識も登録して分類することができる。
【０００９】
本発明による方法では、すでに集まった一つ又は複数の知識、すなわち穴埋め要素もしくは該組、又はそれらの集合が、穴埋め要素もしくはその組あるいは穴埋め結果、又はそれらの集合として表示されることが有利である。
【００１０】
これにより、穴埋め形式で指定された明確な募集内容に対してどういう知識が応募されたのかを、簡潔かつ網羅的に知らせることができる。
【００１１】
また、前記、穴埋め要素の文字セット、文字数、情報量、レンダー幅、レンダー高さ、レンダー時間、音量や輝度などのレンダー強度、周波数範囲、ピクセル深度（色数）、情報形式、ジャンル、意味的カテゴリ、自然言語的カテゴリ、形式言語的カテゴリ、用語、候補集合又はこれらの組み合わせが、穴全体として又は穴毎に制限されるようにすることもできる。
【００１２】
これにより、穴埋め形式の一定のなじみやすさを残したまま、募集する内容および形式をさらに明確にし、目的とする知識を集めることができる。
【００１３】
また、前記すでに集まった一つ又は複数の知識の表示の際に、広告が表示されることもできる。
【００１４】
これにより、募集サイトから収入をえることができ、募集サイトの運営に専念でき、より効率的な知識流通が可能となる。
【００１５】
ここで、知識ごとに異なる広告が関連づけられて表示されることもできる。
【００１６】
これにより、知識を必要とする層に有効な広告等を効率的に提供することができる。
【００１７】
また、前記、広告の文字セット、文字数、情報量、レンダー幅、レンダー高さ、レンダー時間、音量や輝度などのレンダー強度、周波数範囲、ピクセル深度（色数）、情報形式、ジャンル、意味的カテゴリ、自然言語的カテゴリ、形式言語的カテゴリ、用語、候補集合又はこれらの組み合わせが、制限されていることもできる。
【００１８】
これにより、広告の表示チャネルにふさわしい形式および内容の広告を表示することができる。
【００１９】
また、そもそも、前記穴埋め形式、穴埋め要素、広告もしくはこれらの組み合わせが、自然言語であることが有利である。
【００２０】
これにより、応募、把握、比較、通知、表示に余計なオーバーヘッドが必要でなくなる。
【００２１】
また、応募された各知識と各応募者とを関連づけて記憶するステップと、一つまたは複数の知識の表示の際に表示した一つ又は複数の広告による収入を、該一つ又は複数の各知識に関連づけて記憶された各応募者に分配するステップとをさらにを含むことが有利である。
【００２２】
これにより広告収入の一部を知識の応募者に分配することができ、応募者に報いることができ、知識の流通が活発化する。
【００２３】
また、応募された各知識と各応募者とを関連づけて記憶するステップと、一つまたは複数の知識の表示の際に表示した一つ又は複数の広告による収入を、該広告と関連付けて記憶された各知識に関連づけて記憶された各応募者に分配するステップとをさらにを含むこともできる。
【００２４】
これにより、知識と広告の同時（空間的、時間的な近傍での）表示のポリシーを決めることが容易となり、また、場合によっては同時表示の履歴をとる必要がなくなる。
【００２５】
また、新しく応募された新しい知識に対してより多くの分配を行うことが有利である。
【００２６】
これにより、新しい知識の応募をより促進し、表示チャネル全体の新鮮さを保ち、魅力を高めることができる。
【００２７】
また、新しく応募された新しい知識が以前に応募された知識より前に表示されるようにすることが有利である。
【００２８】
これにより、表示をうける利用者がより短時間で価値の高い情報を得ることができる。
【００２９】
また、期間的、順序的、頻度的もしくはこれらの組み合わせに古くに応募された知識が表示されないようにすることもできる。
【００３０】
これにより、ありきたりな表示を避けて、利用者が退屈するのを回避することができる。
【００３１】
また、頻度が多く応募された知識が頻度が少なく応募された知識よりも前に表示されるようにすることができる。
【００３２】
これにより信頼性の高い知識や、体系の原則・基本となるべき知識を早めに利用者に伝えることができる。
【００３３】
また、複数応募された同一の知識を一つにまとめて表示することが有利である。
【００３４】
これにより、表示の冗長さを回避することができる。
【００３５】
また、有利には、各知識が全期間にわたってもしくは特定の期間にわたって応募された頻度をさらに表示する。
【００３６】
これにより、その知識の信頼性や客観的興味の度合いを、利用者が推し量ることができる。
【００３７】
また、複数応募された同一の知識のうち、全期間にわたってもしくは特定の期間にわたって応募された最初もしくは最初のいくつかの知識および応募者のみを記憶もしくは表示することができる。
【００３８】
これにより、真似による応募を防ぐことができ、知識のソースを簡潔にすることができる。また、記憶領域や時間リソースを節約することができる。
【００３９】
また、同一の知識に関連して分配される収入が、該知識に応募した複数の応募者で配分されることが有利である。
【００４０】
これにより、最初でなくとも応募するインセンティブが保たれることになり、信頼性を推し量るための頻度表示などの基礎データを集めることが可能となる。
【００４１】
ここでは、全期間にわたってもしくは特定に期間にわたって早く応募した応募者により多くの配分がなされることが有利である。
【００４２】
これにより、基礎データを得る場合にも、早い応募を促進することができる。
【００４３】
また、前記知識の表示の際に表示される広告を、知識と共に応募できるようにすることができる。
【００４４】
これにより、重大な知識については適切な広告スポンサーを見つけて広告とともに応募することが可能となり、応募者およびスポンサーの思惑にかなった知識／広告プレゼンテーションが可能となる。
【００４５】
また、応募された知識および広告またはその一方を表示用に登録する際に応募者に登録料を請求するステップを含むことができる。
【００４６】
これにより、いたずらの応募や検証していない知識の応募を防ぐことができ、稼動やリソースの節約、信頼性の向上、また、募集サイト自体の収支の安定につながるからである。
【００４７】
また、請求した登録料は、同一の穴埋め形式で表示される知識もしくは同一（または類似の）の知識の応募者に分配されることができる。
【００４８】
これにより、同一／関連の穴埋め形式内での知識のプレゼンスの減少を補償することが可能となり、基礎研究にもとづく早い段階での知識の応募につき躊躇が少なくなり、流通と循環を促進することができる。
【００４９】
また、完結した（穴埋め要素でない）知識として応募を受け付けるステップと、応募された完結した知識を複数の穴埋め形式と照合して、一つ又は複数の合致した穴埋め形式に対応する知識として一つ又は複数の合致した穴埋め形式と関連づけて登録するステップとを、さらに含むことができる。
【００５０】
これにより、特に、応募する穴埋め形式を同定／限定することなく、知識を世界の複数の穴埋め協力サイトにブロードキャストすることが可能となり、効率的な別個の穴埋めサイトを習慣的に閲覧する様々な層に対する効率的な知識配信が実現される。
【００５１】
また、完結した知識を、知識構成要素の順序の入れ替え可能性を多重の括弧等により指定した文として受け付け、入れ替えたすべての順序について前記照合を行うことが有利である。
【００５２】
これにより、格助詞などの順番を入れ替えた穴埋め形式をいちいち用意しなくても、一つの穴埋め形式により、さまざまな応募者の異なる癖を吸収した知識募集が可能となる。
【００５３】
また、穴埋め形式自体が順序入れ替え可能性を多重の括弧などにより指定した文となっており、該穴埋め形式文の入れ替えたすべての順序について、受け付けた知識もしくは該知識の構成要素の順序を入れ替えた知識と照合を行うこともできる。
【００５４】
これにより、応募する方が、特に格助詞の順序などを意識せずに、等価な知識を気軽に応募して比較の対象とすることができる。
【００５５】
また、インターネットもしくは所定のデータベースを自動的に検索して、穴埋め形式を埋められる穴埋め要素（の組）を自動登録もしくは自動更新するステップをさらに含むことが有利である。
【００５６】
これは、半自動であってもよく、その場合には登録前に所定の編集者による登録審査が行われても良い。なお、このことは本発明のほかの項目についても妥当する。
【００５７】
穴埋め形式を公開した当初は、そのサイトには応募があまりないことが予想され、その場合には他のインターネットサイトやデータベース等から自動的に登録候補知識を検索してくることが、サイト運営にとって有利だからである。また、更新を行ったり、ミラーサイトをつくる上でもこのような自動機能は有用である。
【００５８】
また、穴埋め要素、穴埋め結果もしくは穴埋め結果を存在する順序入れ替え指定により展開した各穴埋め結果、すなわち知識の一部、全部もしくは各変形が、自動的にインターネットもしくは所定のデータベース上を検索して存在しないもしくは頻度の少ない情報の並びである場合に、該方法に関連する収入を当該知識の応募者により多く配分するようにする、もしくは、当該知識をより前に表示するようにすることができる。
【００５９】
これにより、新しい知識を（苦労して）発見してものがより多く報われるので検索よりも実験を促進することができ、もしくは、利用者にとっても早く表示されることで媒体としてのサイトの魅力を増すことができる。
【００６０】
また、穴埋め要素、穴埋め結果もしくは穴埋め結果を存在する順序入れ替え指定により展開した各穴埋め結果、すなわち知識の一部、全部もしくは各変形が、自動的にインターネットもしくは所定のデータベース上を検索して、存在するもしくは頻度の多い情報の並びである場合に、該方法に関連する収入を当該知識の応募者により多く配分するようにする、もしくは、当該知識をより前に表示するようにすることができる。
【００６１】
これにより、客観的にもしくは多く支持された信頼性の高い知識であるにもかかわらず本サイトに登録されていないというミスを効率的に回避することができ、裏付けのある（本穴埋め形式サイト的に新しい）情報を探した人に報いることができる。もしくは、信頼性の高い情報を利用者に早く提示することができ、利用者のその知識領域に関する勘違いが少なくなる。
【００６２】
また、穴埋め要素、穴埋め結果もしくは穴埋め結果を存在する順序入れ替え指定により展開した各穴埋め結果、すなわち知識の一部、全部もしくは各変形が、同一の穴埋め形式に関連して登録された他の知識の対応する各穴埋め要素もしくは全部もしくは当該変形に対して、又は、インターネットもしくは所定のデータベース上に存在する知識もしくは当該知識の可能な変形に対して、編集距離が遠いほどまたは全体的もしくは部分的な意味が定義された距離について遠いほど、該応募された知識の応募者に該方法に関連する収入を多く配分するようにする、もしくは、当該知識をより前に表示するようにすることができる。
【００６３】
これにより、他の知識からの推測が容易でない奇抜な知識の応募者に対してより多くの配分を与え、知識ベースとしての網羅性を促進することができる。また、利用者側では、そのような知識が早く表示されるようになることで、本サイトを飽きずに閲覧でき、広告収入や閲覧料収入をより多く期待することができる。
【００６４】
なお、「意味が定義された距離について遠い」とは、例えば「友達」と「親しい」の距離が１．１であり、「友達」と「天敵」の距離が９であると、データベースや関数により事前定義してあることを前提にしており、知識全体の近さを、２知識の構造（たとえば、「太郎と次郎は友達。」と「太郎と三郎は天敵」。）内で互いに対応する個々の表現（「太郎」と「太郎」、「次郎」と「三郎」、および「友達」と「天敵」）の距離の積（や和等）として計算することを前提とする。
【００６５】
また、穴埋め要素、穴埋め結果もしくは穴埋め結果を存在する順序入れ替え指定により展開した各穴埋め結果、すなわち知識の一部、全部もしくは各変形が、同一の穴埋め形式に関連して登録された他の知識の対応する各穴埋め要素もしくは全部もしくは当該変形に対して、編集距離が近いほどまたは全体的もしくは部分的な意味が定義された距離について近いほど、該他の知識と近い空間的もしくは時間的位置に表示する、又は、該他の知識の応募者に前記知識の一部、全部もしくは各変形に関連する収入を配分する、又は、該後に応募された知識を登録しないもしくは表示しないことができる。
【００６６】
これにより、同じような知識をまとめて表示することができ利用者が、登録された知識集合の全体を把握しやすくなる。または、応募者は類似する知識が他の応募者により応募されるのを心配する必要が少なくなる。または、登録される知識集合が必要以上に冗長になるのを防ぐことができる。
【００６７】
また、前記編集距離を、埋め込み要素の文字列、音声、画像、動画などを非可逆圧縮した上で求めることが有利である。
【００６８】
これにより、距離の計算を迅速に行うことができる。
【００６９】
また、知識の応募手順が対話的になっており、複数の穴すなわち離散的な穴がある穴埋め形式を埋める場合に、すでに埋めた穴埋め要素に対応するすでに登録された知識もしくは他の各穴の各穴埋め要素が、応募者に表示されることができる。
【００７０】
これにより、応募者は、自分の知っている知識の集合のうち応募が有効な新しいものだけを選んで応募することができ、利用者は、自分のほしい知識集合を限定して閲覧することができる。
【００７１】
また、共通部分を含む全体知識が複数もしくは多く登録された場合に、該共通部分を新たな穴埋め形式として記憶し、当該記憶に基づき自動的に募集を行うこともできる。
【００７２】
これにより、単一の穴埋め形式への知識の登録数が多くなりすぎるのを防ぐことができ、人気のある穴埋め形式の実質的な管理を効率化することができる。また、人気がある穴埋め形式について処理上の負荷分散をすることができる。
【００７３】
また、同一の知識を登録しうる複数の穴埋め形式が、一方向もしくは両方向に関連づけられて記憶されているようにすることができる。
【００７４】
これにより、同一知識を関連する複数の穴埋め形式サイトに効率的かつ網羅的にブロードキャストすることができる。また、応募者もしくは利用者を適当な穴埋め形式もしくは表示ビューに迅速にナビゲートすることができる。
【００７５】
また、応募者による知識の確信度、有効期限、取材元、又はこれらの組み合わせが知識とともに応募でき、これらの情報に基づいて、知識の表示、登録、削除、選択、又はこれらの組み合わせが行われるようにすることができる。
【００７６】
これにより、利用者に、検証可能なより信頼性の高い知識を必要な期間にわたって効果的に提供することが可能となる。
【００７７】
また、前記穴埋め形式、知識、応募者、登録時刻、登録順序、確信度、有効期限、取材元、または、インターネットもしくは該穴埋め形式内あるいは関連づけられた穴埋め形式集合内での同一もしくは類似知識の出現頻度、または、これらの組合せに基づいて、表示位置、表示頻度、表示周期内オフセットや表示周期内時間割などの表示順序、表示形式、または、これらの組み合わせが決定されるようにすることができる。
【００７８】
これにより、知識の位置付けや取扱いについていちいち付記する必要がなくなり、興味のある属性の知識が表示される位置、頻度、タイミング、形式についてのみ注目したり、知識表示チャネルを事前知識（経験）に基づいて効率的にブラウジングしたりすることが可能となり、興味のない属性の知識を無視することが可能となる。
【００７９】
また、利用者が、表示する知識の登録された穴埋め形式、該穴埋め形式を特定するためのＵＲＬなどのアドレス、各穴埋め形式内知識の表示位置、表示頻度、表示周期内オフセットや表示周期内時間割などの表示順序、表示形式、または、これらの組み合わせを設定できることが有利である。
【００８０】
これにより、利用者は、表示させる知識の内容（どの穴埋め形式に登録された知識を対象とするか）およびタイミング（いつそれらを表示するか）により自分や他人の興味や知的活動時間の配分（および順序ポリシー）を（知識表示トリガーによって）コントロールしあるいは強制することが可能となる。
【００８１】
しかも、原則や基本といった重要な知識だけでなく、新しく登録される知識もおりまぜて表示させることが可能となり、知識（の勉強）とニュース（の獲得）を適切に配分して日常的に切り替えるという（学者、学生、ビジネスマンに必要な）心理的作業の負担から解放されることとなる。
【００８２】
また、利用者への知識もしくは広告の表示に応じて、知識もしくは広告と関連づけられた知識の応募者、広告が表示された知識表示内の知識を応募した応募者、広告に関連する穴埋め形式の管理者、または、これらの組み合わせに閲覧料もしくは広告料が支払われることが有利である。
【００８３】
また、穴埋め形式に登録された知識もしくは知識集合の閲覧料を処理するステップをさらに含み、該閲覧料収入について、前記広告収入または登録料収入に対する方法が適用されることもできる。
【００８４】
これにより、広告収入ではなく閲覧収入によっても、広告収入についてと同様の上述の効果的なインセンティブが可能となる。
【００８５】
また、知識の共通部分を省いた穴埋め要素もしくはその組を表示することが有利である。
【００８６】
これにより、共通部分が連続してでてくる冗長さによる退屈を排除することができ、利用者に資するとともに、応募者にとっても応募内容の事前調査などを簡潔な書式をベースに行うことが可能となる。
【００８７】
また、定型表現は見る人にとって冗長ゆえ、ないほうがニュース等をすばやく理解できる。しかも他人には興味を知られにくいという利点がある。
【００８８】
また、知識が、問題および解答の組により表示され、かつ、問題と解答の空間的もしくは時間的な間に広告が表示されることが有利である。
【００８９】
これにより、解答を見たい利用者に広告を必ず見てもらうことが可能となり、広告の効果があがる。
【００９０】
また、知識、もしくは、知識および広告の表示が、スクリーンセーバーとして行われる、ことができる。
【００９１】
これにより、いちいちコマンドを起動しなくても、必要な知識やニュースを習慣的に得ることができる。
【００９２】
本発明はまた、かかる方法により表示を行うスクリーンセーバー、かかる方法もしくはその部分ステップを実施するサーバ、かかる方法もしくはその部分ステップにおける登録を管理する記憶装置を提供する。
【００９３】
半発明はまた、計算機もしくはその一部を、かかるスクリーンセーバー、サーバ、記憶装置、又はこれらの一部もしくは組合せとして動作させる、コンピュータプログラムを提供する。
【００９４】
【発明の実施の形態】
【００９５】
以下、本発明の実施の形態について説明する。
【００９６】
Ｋ社では、広い分野の知識を広く一般の応募者から集めて効果的に流通させるために無数の知識募集Ｗｅｂサイトを運営するとともに、利用者が日常的に知識に新しい触れられるよう、これらのＷｅｂサイトと通信して更新された知識を参照し利用者ごとの設定にしたがって表示する能力を有する知識情報提供型スクリーンセーバーを配布する。
【００９７】
各Ｗｅｂサイトは、そのＷｅｂサイトに固有の興味に基づいて知識を募集するため、穴埋め形式の文字列、楽譜、音声クリップ、静止画、動画、漫画などを、それぞれ一般の応募者に向けて表示している。あるサイトＡは、ＨＴＭＬにより、「□店の□を□店におけば大ヒットする」という穴埋め形式に合致する知識を募集しており、別のサイトＢは、「□をすれば金持ちになれる」という穴埋め形式により知識を募集している。また別のサイトＣでは、富士山が大きく背景に書かれた絵の真中が空白になっており、そこを埋めるＪＰＥＧイメージファイルを募集している。
【００９８】
これらの応募知識を指定しているホームページには、応募された知識や作品を閲覧できるボタン（ｃｇｉを起動するリンク）が配置されており、応募者や利用者はこのボタンを押して、これまでに応募された知識などを閲覧するための別のホームページに移動できるようになっている。
【００９９】
この別のホームページでは、最も新しく登録された知識（もしくは頻度が最も多く登録された知識）が最上段に完全な知識の形式（穴が埋められた状態）で表示されている。それより下には、似た知識同士が近接してやはり穴が埋められた状態で配置されている。各知識の最後には、括弧書で、最初の応募者、最初の応募日付、最初の応募者の指定した掲載有効期間、その知識の全応募者による確信度の平均、およびＨＴＴＰリンク付文字広告（たとえば、「保険料の比較ならおまかせ（ここ）」）が表示されている。
【０１００】
このページをみた利用者が、その広告によりジャンプして保険を比較して購入した場合には、クッキー技術によりこの広告から購入までの流れが検知され、例えばサイトＡに成果報酬型の広告収入が発生する、サイトＡでは、この広告に関連づけられていた知識の各応募者（先着５名）に応募順の傾斜配分でこの収入の半分を分配し、この知識と同時に表示されていた他の知識の各応募者については応募数に応じて収入の４分の１を分配した。
【０１０１】
配布されたスクリーンセーバーの設定ダイアローグ画面では、どのサイトの知識を画面のどの位置にどのタイミングでどのような形式で出力するかを指定できるようになっている。Ｋ社のマーケティング担当のＹさんは、昼間は仕事のため、サイトＡで募集されたマーケティング知識の穴埋め要素の組を画面の上半分で表示するよう設定していた。このためＹさんのスクリーンセーバーは昼の時間はサイトＡを情報を参照し、例えば（「春日Ｚラーメン」「Ｚ＋＋ラーメン」「小石川中華料理」）、（「千石Ｐラーメン」「ぎょうざ」「茗荷谷Ｍ食堂」）といった情報を、順番にＹさんのＰＣ端末上に表示した。また、下半分は、常にサイトＣの最も新しく応募された画像を表示するようにしていた。ただし、この場合は、マーケティング知識の場合と異なり、知識全体すなわち富士山の背景に応募された画像があてはめられているものが表示された。一方夜はお金を貯めることに興味があったため、午後７時から９時はこれに集中するため、上半分はサイトＢの最新の応募知識（「特許出願」）と、昔から高頻度で多く応募された原則的な知識（「質素倹約」）を一定の頻度と順番で表示するようにしている。
【０１０２】
なお、この実施形態はあくまでも例としてのものであり、本願発明の範囲は特許請求の範囲によってのみ制限される。本願の開示により、ＤＢ連携Ｗｅｂサイトを構築する能力のある当業者、および、ソケット通信、テキストパージング、スクリーンセーバープログラミングに熟達した当業者が実施できることは明らかである。
【０１０３】
【発明の効果】
募集されている知識の内容および形式を応募者に明確に知らせることができる。また、形式言語とは限らず、穴埋め形式であるため、一般大衆にもなじみがあり、カバー領域が限定されないばかりか、穴を埋める要素の大きさも限定されないため、小説のような非定型の長い知識も登録して分類することができる。